(57)【特許請求の範囲】
【請求項１】
既設巾木の前面及び上端面を覆って備え付けられるリフォーム用巾木材であって、
既設巾木の前面への添装面部を備えると共に、下端面を既設フロア上にはり込まれる新設の床材により形成される新設フロア面に対する突き当て面部とした下部巾木構成体と、
既設巾木の前面及び上端面への添装面部を備えた上部巾木構成体とを有しており、
下部巾木構成体は、その前面部に、上方に向いた段差面を有すると共に、
上部巾木構成体は、その背面部に、下方に向いた段差面を有しており、
下部巾木構成体の段差面に上部巾木構成体の下端面が突き当てられる位置をこの上部巾木構成体の設置下限として、この下部巾木構成体の段差面より上方にある前面に上部巾木構成体の段差面より下方にある背面を添装させた状態で備え付けられることを特徴とするリフォーム用巾木材。
【請求項２】
既設巾木の前面及び上端面を覆って備え付けられるリフォーム用巾木材であって、
既設巾木の前面への添装面部を備えると共に、下端面を既設フロア上にはり込まれる新設の床材により形成される新設フロア面に対する突き当て面とした下部巾木構成体と、
既設巾木の前面及び上端面への添装面部を備えた上部巾木構成体とを有しており、
下部巾木構成体は、その背面部に、上方に向いた段差面を有すると共に、
上部巾木構成体は、その前面部に、下方に向いた段差面を有しており、
下部巾木構成体の段差面に上部巾木構成体の下端面が突き当てられる位置をこの上部巾木構成体の設置下限として、この上部巾木構成体の段差面より下方にある前面に下部巾木構成体の段差面より上方にある背面を添装させた状態で備え付けられることを特徴とするリフォーム用巾木材。
【請求項３】
上部巾木構成体及び下部巾木構成体における既設巾木への添装面部の全部又は一部が、クッション材によって覆われていることを特徴とする請求項１又は請求項２記載のリフォーム用巾木材。
【請求項４】
上部巾木構成体が、既設巾木の上端面への添装体と、既設巾木の前面への添装体とから構成されており、
既設巾木の上端面への添装体は、
壁面に添装される縦板部と、
この縦板部から前方に突き出すように形成されると共に、既設巾木の上端面に外面を添装させる下部横板部と、
前記縦板部から前方に突き出すように形成されると共に、この下部横板部との間に溝部を形成させる上部横板部とを有しており、
既設巾木の前面への添装体は、
上部巾木構成体の下方に向いた段差面となる段差面と、
この段差面の形成位置の上方に前記既設巾木の上端面への添装体の溝部への入れ込み部を有していることを特徴とする請求項１、請求項２又は請求項３記載のリフォーム用巾木材。
【発明の詳細な説明】
【０００１】
【発明の属する技術分野】
この発明は、既設の床材の上に新設の床材をはり込んで行う方式のリフォームにおいて、既設巾木を取り外すことなく、このリフォームを適切に行えるようにするために用いられるリフォーム用巾木材に関する。
【０００２】
【従来の技術】
既設の床材の上に新設の床材をはり込んで行う方式のリフォームにおいては、通例、既設巾木を取り外した後、新設の床材をはり込み、さらに、新設の巾木の取り付けをなすようにしている。
【０００３】
【発明が解決しようとする課題】
しかるに、かかる従来の手法にあっては、既設巾木の取り外しに相応の手間を要させるものであった。巾木は、通常、釘と接着剤により強固に壁側に取り付けられているからである。
【０００４】
また、かかる従来の手法にあっては、既設巾木を取り外す際に壁を傷つけてしまうことが少なくなく、こうした場合にはさらに壁材のはり替えを必要とさせるものであった。
【０００５】
こうした不都合は、既設巾木を取り外すことなく、既設の床材の上に新設の床材をはり込むようにした場合には生じない。しかし、単純にこのようにした場合、既設巾木と新設の床材との取り合い部分にできるだけ隙間を生じさせないようにする必要があり、その施工に高い精度が必要となる。また、このように新設の床材をはり込ませた場合、この新設の床材と既設巾木との取り合い部分に生じる隙間は縦向きの隙間となるため、この隙間にたまる塵芥によりこの取り合い部分の外観性を経時的に低下させてしまい易い。
【０００６】
そこでこの発明は、既設の床材の上に新設の床材をはり込んで行う方式のリフォームを行う場合において、既設巾木を取り外すことなく、容易かつ仕上がり良くこうしたリフォームを行うことを可能とするリフォーム用巾木材の提供を主たる目的としている。
【０００７】
【課題を解決するための手段】
前記目的を達成するために、請求項１記載の発明にあっては、リフォーム用巾木材が以下の（１）〜（６）の構成を備えたものとした。
（１）既設巾木の前面及び上端面を覆って備え付けられるリフォーム用巾木材であって、
（２）既設巾木の前面への添装面部を備えると共に、下端面を既設フロア上にはり込まれる新設の床材により形成される新設フロア面に対する突き当て面部とした下部巾木構成体と、
（３）既設巾木の前面及び上端面への添装面部を備えた上部巾木構成体とを有しており、
（４）下部巾木構成体は、その前面部に、上方に向いた段差面を有すると共に、
（５）上部巾木構成体は、その背面部に、下方に向いた段差面を有しており、
（６）下部巾木構成体の段差面に上部巾木構成体の下端面が突き当てられる位置をこの上部巾木構成体の設置下限として、この下部巾木構成体の段差面より上方にある前面に上部巾木構成体の段差面より下方にある背面を添装させた状態で備え付けられる。
【０００８】
かかる構成によれば、
（１）新設フロア面と既設巾木の上端面との間の寸法に合わせて、下部巾木構成体の突き当て面部と上部巾木構成体における既設巾木の上端面への添装面部との間の間隔を調整することができ、単一のリフォーム用巾木材によって新設フロア面と既設巾木の上端面との間の寸法を異ならせる種種の状況に対応して、この既設巾木の前面及び上端面をそれぞれ適切にこのリフォーム用巾木材によって覆うことができる。
【０００９】
この結果、こうしたリフォームにおいて、既設巾木を取り外す必要がなく、また、こうした取り外しによって壁を痛めることもないので、壁紙の貼り替えなどの施工手間を生じさせることがない。
【００１０】
また、新設の床材により形成される新設フロア面にリフォーム用巾木材を構成する下部巾木構成体の突き当て面部が突き当てられて、このリフォーム用巾木材によって新設フロア面と既設巾木との取り合い部分を隠すことができることから、新設の床材のはり込みにあたりこの取り合い部分の施工に高い精度を要することがなく、このはり込みを容易になすことができる。
【００１１】
（２）また、下部巾木構成体と上部巾木構成体との重なり合う部分を、下部巾木構成体の段差面とこの下部巾木構成体の上端面との間と、上部巾木構成体の段差面とこの上部巾木構成体の下端面との間に形成させることから、このように重なり合わされる下部巾木構成体と上部巾木構成体との前記重なり合う部分以外の前面をほぼ同一の平面上に位置づけさせるようにすることも支障なくなすことができる。
【００１２】
また、前記目的を達成するために、請求項２記載の発明にあっては、リフォーム用巾木材が以下の（１）〜（６）の構成を備えたものとした。
（１）既設巾木の前面及び上端面を覆って備え付けられるリフォーム用巾木材であって、
（２）既設巾木の前面への添装面部を備えると共に、下端面を既設フロア上にはり込まれる新設の床材により形成される新設フロア面に対する突き当て面とした下部巾木構成体と、
（３）既設巾木の前面及び上端面への添装面部を備えた上部巾木構成体とを有しており、
（４）下部巾木構成体は、その背面部に、上方に向いた段差面を有すると共に、
（５）上部巾木構成体は、その前面部に、下方に向いた段差面を有しており、
（６）下部巾木構成体の段差面に上部巾木構成体の下端面が突き当てられる位置をこの上部巾木構成体の設置下限として、この上部巾木構成体の段差面より下方にある前面に下部巾木構成体の段差面より上方にある背面を添装させた状態で備え付けられる。
【００１３】
かかる構成によれば、
（１）新設フロア面と既設巾木の上端面との間の寸法に合わせて、下部巾木構成体の突き当て面部と上部巾木構成体における既設巾木の上端面への添装面部との間の間隔を調整することができ、単一のリフォーム用巾木材によって新設フロア面と既設巾木の上端面との間の寸法を異ならせる種種の状況に対応して、この既設巾木の前面及び上端面をそれぞれ適切にこのリフォーム用巾木材によって覆うことができる。
【００１４】
この結果、こうしたリフォームにおいて、既設巾木を取り外す必要がなく、また、こうした取り外しによって壁を痛めることもないので、壁紙の貼り替えなどの施工手間を生じさせることがない。
【００１５】
また、新設の床材により形成される新設フロア面にリフォーム用巾木材を構成する下部巾木構成体の突き当て面部が突き当てられて、このリフォーム用巾木材によって新設フロア面と既設巾木との取り合い部分を隠すことができることから、新設の床材のはり込みにあたりこの取り合い部分の施工に高い精度を要することがなく、このはり込みを容易になすことができる。
【００１６】
（２）また、下部巾木構成体と上部巾木構成体との重なり合う部分を、下部巾木構成体の段差面とこの下部巾木構成体の上端面との間と、上部巾木構成体の段差面とこの上部巾木構成体の下端面との間に形成させることから、このように重なり合わされる下部巾木構成体と上部巾木構成体との前記重なり合う部分以外の前面をほぼ同一の平面上に位置づけさせるようにすることも支障なくなすことができる。
【００１７】
また、請求項３記載の発明にあっては、請求項１または請求項２記載のリフォーム用巾木材における、上部巾木構成体及び下部巾木構成体における既設巾木への添装面部の全部又は一部が、さらに、クッション材によって覆われていることを特徴としている。
【００１８】
かかる構成によれば、単一のリフォーム用巾木材によって厚さを異にする種種の既設巾木の前面及び上端面を、それぞれ、このリフォーム用巾木材によって適切に覆うことができる。
【００１９】
すなわち、上部巾木構成体における既設巾木の上端面を覆う部分を、前記クッション材を既設巾木の前面に押し当てて変形させながら壁面に押し付けさせることにより、厚さを異にする種種の既設巾木の前面との間に無用な隙間を生じさせないようにした状態で、リフォーム用巾木材を取り付けさせることができる。
【００２０】
また、請求項４記載の発明あっては、請求項１、請求項２または請求項３記載のリフォーム用巾木材における上部巾木構成体が、さらに、既設巾木の上端面への添装体と、既設巾木の前面への添装体とから構成されており、
既設巾木の上端面への添装体は、
壁面に添装される縦板部と、
この縦板部から前方に突き出すように形成されると共に、既設巾木の上端面に外面を添装させる下部横板部と、
前記縦板部から前方に突き出すように形成されると共に、この下部横板部との間に溝部を形成させる上部横板部とを有しており、
既設巾木の前面への添装体は、
上部巾木構成体の下方に向いた段差面となる段差面と、
この段差面の形成位置の上方に前記既設巾木の上端面への添装体の溝部への入れ込み部を有していることを特徴としている。
【００２１】
かかる構成によれば、 既設巾木の上端面への添装体によってこの既設巾木の上端面を覆うことができると共に、この既設巾木の上端面への添装体の溝部への既設巾木の前面への添装体の入れ込み部の入れ込み寸法を変えることにより、既設巾木の厚さに対応して既設巾木の上端面への添装体の縦板部の外面（壁面に添装される面）と既設巾木の前面への添装体の背面（さらには、下部巾木構成体の背面）との間の間隔を調整することができ、厚さを異ならせる種種の既設巾木をより容易に単一のリフォーム用巾木材によって適切に覆うことができる。
【００２２】
【発明の実施の形態】
以下、図１ないし図８に基づいて、この発明の典型的な実施の形態について説明する。
【００２３】
なお、ここで図１、図３、図５および図７は、リフォーム用巾木材Ｈとこのリフォーム用巾木材Ｈが備え付けられる既設巾木ｈ側とを、分離して斜視の状態としてそれぞれ示しており、また、図２、図４、図６および図８は、リフォーム用巾木材Ｈを備え付けさせた状態を断面の状態として示している。
【００２４】
この実施の形態にかかるリフォーム用巾木材Ｈは、既設の床材の上に新設の床材をはり込んで行う方式のリフォームにおいて、既設巾木ｈを取り外すことなく、このリフォームを適切に行えるようにするために用いられるものである。
【００２５】
すなわち、かかるリフォーム用巾木材Ｈは、新設の床材のはり込み後に、既設巾木ｈの前面ｈａ及び上端面ｈｂを覆って備え付けられて、この新設の床材によって形成される新設フロア面ＮＦａと壁面Ｐとの見切りなどをなすように用いられるものである。
【００２６】
かかるリフォーム用巾木材Ｈは、下部巾木構成体１と上部巾木構成体２とを有している。
【００２７】
この下部巾木構成体１は、
既設巾木ｈの前面ｈａへの添装面部１ａと、
既設の床材により構成される既設フロアＦ上にはり込まれる新設の床材によって形成される新設フロア面ＮＦａに対する突き当て面部１ｂとなる下端面とを備えている。
【００２８】
また、上部巾木構成体２は、
既設巾木ｈの前面ｈａ及び上端面ｈｂへの添装面部２ａを備えている。
【００２９】
また、実施例１（図１、図２）と実施例２（図３、図４）にあっては、
下部巾木構成体１は、その前面部（既設巾木ｈに向けられる側と反対の側）に、上方に向いた段差面１ｃを有すると共に、
上部巾木構成体２は、その背面部（既設巾木ｈに向けられる側）に、下方に向いた段差面２ｂを有しており、
下部巾木構成体１の段差面１ｃに上部巾木構成体２の下端面２ｃが突き当てられる位置をこの上部巾木構成体２の設置下限として、この下部巾木構成体１の段差面１ｃより上方にある前面に上部巾木構成体２の段差面２ｂより下方にある背面を添装させた状態で備え付けられるようにしてある。
【００３０】
また、実施例３（図５、図６）と実施例４（図７、図８）にあっては、
下部巾木構成体１は、その背面部（既設巾木ｈに向けられる側）に、上方に向いた段差面１ｃを有すると共に、
上部巾木構成体２は、その前面部（既設巾木ｈに向けられる側と反対の側）に、下方に向いた段差面２ｂを有しており、
下部巾木構成体１の段差面１ｃに上部巾木構成体２の下端面２ｃが突き当てられる位置をこの上部巾木構成体２の設置下限として、この上部巾木構成体２の段差面２ｂより下方にある前面に下部巾木構成体１の段差面１ｃより上方にある背面を添装させた状態で備え付けられるようにしてある。
【００３１】
これにより、この実施の形態にかかるリフォーム用巾木材Ｈによれば、
（１）新設フロア面ＮＦａと既設巾木ｈの上端面ｈｂとの間の寸法に合わせて、下部巾木構成体１の突き当て面部１ｂ（下部巾木構成体１の下端面）と上部巾木構成体２における既設巾木ｈの上端面ｈｂへの添装面部２ａとの間の間隔を調整することができ、単一のリフォーム用巾木材Ｈによって新設フロア面ＮＦａと既設巾木ｈの上端面ｈｂとの間の寸法を異ならせる種種の状況に対応して、この既設巾木ｈの前面ｈａ及び上端面ｈｂをそれぞれ適切にこのリフォーム用巾木材Ｈによって覆うことができる。
【００３２】
具体的には、下部巾木構成体１の段差面１ｃに上部巾木構成体２の下端面２ｃが突き当てられるこの上部巾木構成体２の前記設置下限から、上部巾木構成体２の下端面２ｃが下部巾木構成体１の上端面１ｄより上方に位置されない限度までの間で、上部巾木構成体２と下部巾木構成体１との上下方向における重なり合う部分の寸法を調整することができ、これにより、単一のリフォーム用巾木材Ｈによって新設フロア面ＮＦａと既設巾木ｈの上端面ｈｂとの間の寸法を異ならせる種種の状況に対応して、この既設巾木ｈの前面ｈａ及び上端面ｈｂをそれぞれ適切にこのリフォーム用巾木によって覆うことができる。
【００３３】
この結果、こうしたリフォームにおいて、既設巾木ｈを取り外す必要がなく、また、こうした取り外しによって壁を痛めることもないので、壁紙の貼り替えなどの施工手間を生じさせることがない。
【００３４】
また、新設の床材により形成される新設フロア面ＮＦａにリフォーム用巾木材Ｈを構成する下部巾木構成体１の突き当て面部１ｂが突き当てられて、このリフォーム用巾木材Ｈによって新設フロア面ＮＦａと既設巾木ｈとの取り合い部分を隠すことができることから、新設の床材のはり込みにあたりこの取り合い部分の施工に高い精度を要することがなく、このはり込みを容易になすことができる。
【００３５】
（２）また、下部巾木構成体１と上部巾木構成体２との重なり合う部分を、下部巾木構成体１の段差面１ｃとこの下部巾木構成体１の上端面１ｄとの間と、上部巾木構成体２の段差面２ｂとこの上部巾木構成体２の下端面２ｃとの間に形成させることから、このように重なり合わされる下部巾木構成体１と上部巾木構成体２との前記重なり合う部分以外の前面をほぼ同一の平面上に位置づけさせるようにすることも支障なくなすことができる。
【００３６】
上部巾木構成体２および下部巾木構成体１は、既設巾木ｈを前記のように覆った状態で、典型的には、この既設巾木ｈ側に接着や、釘打ちにより、あるいは、接着と釘打ちとの双方を施すことにより、止め付けられる。
【００３７】
かかる上部巾木構成体２および下部巾木構成体１は、典型的には、木材や、ＭＤＦなどの木質系材料、こうした木質系材料に化粧紙などを貼り付けたもの、などにより構成することができる。
【００３８】
また、かかる上部巾木構成体２及び下部巾木構成体１における既設巾木ｈへの添装面部１ａ、２ａの全部又は一部が、クッション材３によって覆われているようにしておくこともできる。
【００３９】
このようにした場合、単一のリフォーム用巾木材Ｈによって厚さを異にする種種の既設巾木ｈの前面ｈａ及び上端面ｈｂを、それぞれ、このリフォーム用巾木材Ｈによって適切に覆うことができる。
【００４０】
すなわち、上部巾木構成体２における既設巾木ｈの上端面ｈｂを覆う部分を、前記クッション材３を既設巾木ｈの前面ｈａに押し当てて変形させながら壁面Ｐに押し付けさせることにより、厚さを異にする種種の既設巾木ｈの前面ｈａとの間に無用な隙間を生じさせないようにした状態で、リフォーム用巾木材Ｈを取り付けさせることができる。
【００４１】
こうしたクッション材３としては、典型的には、発泡プラスチック製のシートなどを用いることができる。例えば、こうしたシートを、上部巾木構成体２及び下部巾木構成体１における既設巾木ｈへの添装面部１ａ、２ａに貼り込ませることにより、こうしたクッション材３によってこの添装面部１ａ、２ａの全部又は一部を覆わせることができる。このように添装面部１ａ、２ａに貼り込まれたシートの表面に剥離紙で覆われた接着剤層を設けさせておけば、この剥離紙の剥離により露出される接着剤層によって既設巾木ｈに対し上部巾木構成体２及び下部巾木構成体１を容易に本止め、あるいは、仮止めすることができる。
【００４２】
また、実施例２及び実施例４に示されるように、上部巾木構成体２を、既設巾木ｈの上端面ｈｂへの添装体２０と、既設巾木ｈの前面ｈａへの添装体２１とから構成されるようにしておくこともある。
【００４３】
具体的には、既設巾木ｈの上端面ｈｂへの添装体２０は、
壁面Ｐに添装される縦板部２０ａと、
この縦板部２０ａから前方に突き出すように形成されると共に、既設巾木ｈの上端面ｈｂに外面を添装させる下部横板部２０ｂと、
前記縦板部２０ａから前方に突き出すように形成されると共に、この下部横板部２０ｂとの間に溝部２０ｄを形成させる上部横板部２０ｃとを有している。
【００４４】
また、既設巾木ｈの前面ｈａへの添装体２１は、
上部巾木構成体２の下方に向いた段差面２ｂとなる段差面２１ａと、
この段差面２１ａの形成位置の上方に前記既設巾木ｈの上端面ｈｂへの添装体２０の溝部２０ｄへの入れ込み部２１ｂを有している。
【００４５】
このように構成した場合、 既設巾木ｈの上端面ｈｂへの添装体２０によってこの既設巾木ｈの上端面ｈｂを覆うことができると共に、この既設巾木ｈの上端面ｈｂへの添装体２０の溝部２０ｄへの既設巾木ｈの前面ｈａへの添装体２１の入れ込み部２１ｂの入れ込み寸法を変えることにより、既設巾木ｈの厚さに対応して既設巾木ｈの上端面ｈｂへの添装体２０の縦板部２０ａの外面（壁面Ｐに添装される面）と既設巾木ｈの前面ｈａへの添装体２１の背面との間の間隔を調整することができ、厚さを異ならせる種種の既設巾木ｈをより容易に単一のリフォーム用巾木材Ｈによって適切に覆うことができる。
【００４６】
（実施例１）
図１および図２に示されるリフォーム用巾木材Ｈ１は、上部巾木構成体２と下部巾木構成体１の２パーツから構成されている。
【００４７】
上部巾木構成体２および下部巾木構成体１の双方ともに、長尺の板状をなすように構成されている。
【００４８】
上部巾木構成体２は、既設巾木ｈの前面ｈａを覆う鉛直部２０ｅと、既設巾木ｈの上端面ｈｂを覆う水平部２０ｆとを有している。
【００４９】
鉛直部２０ｅの上端部と水平部２０ｆの前端部とは、鉛直部２０ｅの前面と水平部２０ｆの上面との間にエッジ状の外隅部２０ｇを形成させると共に、鉛直部２０ｅの背面と水平部２０ｆの下面との間にエッジ状の内隅部２０ｈを形成させるように、一体となっている。
【００５０】
水平部２０ｆの後端部は、鉛直面となっており、この鉛直面が壁面Ｐに添装されるようになっている。そして、この水平部２０ｆの下面におけるこの水平部２０ｆの後端部と前記内隅部２０ｈとの間が、上部巾木構成体２における既設巾木ｈの上端面ｈｂへの添装面部２ａとなるようにしてある。
【００５１】
鉛直部２０ｅの背面部には、下方に向いた段差面２ｂが形成されている。この段差面２ｂは、この例では、水平面として構成されている。そして、この下方に向いた段差面２ｂと前記内隅部２０ｈとの間が、上部巾木構成体２における既設巾木ｈの前面ｈａへの添装面部２ａとなるようにしてある。そしてまた、この段差面２ｂと鉛直部２０ｅの下端面との間にある鉛直部２０ｅの背面が、下部巾木構成体１の上方に向いた段差面１ｃと下部巾木構成体１の上端面１ｄとの間にある下部巾木構成体１の前面に添装されるように構成されている。
【００５２】
また、鉛直部２０ｅの下端面は、この例では、水平面として構成されている。
【００５３】
この例にあっては、上部巾木構成体２の添装面部２ａの全体がシート状をなすクッション材３によって覆われるようにしてある。この結果、この例にあっては、前記水平部２０ｆのクッション材３によっても、リフォーム用巾木材Ｈ１における下部巾木構成体１の突き当て面部１ｂと上部巾木構成体２における既設巾木ｈの上端面ｈｂへの添装面部２ａとの間の間隔の若干の調整が可能となっている。
【００５４】
下部巾木構成体１は、背面の全部を既設巾木ｈの前面ｈａに対する添装面部１ａとしている。また、この下部巾木構成体１は、前面部に上方に向いた段差面１ｃを有しており、この上方に向いた段差面１ｃと上端面１ｄとの間にある前面に、上部巾木構成体２の下端面２ｃと下方に向いた段差面２ｂとの間にある背面が添装されるようにしてある。この例にあっては、この下部巾木構成体１の上方に向いた段差面１ｃおよび上端面１ｄは、いずれも水平面として構成されている。
【００５５】
また、下部巾木構成体１の下端面は、水平面として構成されており、この下端面が新設フロア面ＮＦａに突き当てられるようにしてある。
【００５６】
また、この例にあっては、下部巾木構成体１の添装面部１ａの全体がシート状をなすクッション材３によって覆われるようにしてある。
【００５７】
また、この例にあっては、上部巾木構成体２の鉛直部２０ｅの前面と下方に向いた段差面２ｂより上方の背面（つまり、添装面部２ａ）との間の寸法と、下部巾木構成体１の上方に向いた段差面１ｃより下方の前面と背面（つまり、添装面部１ａ）との間の寸法とがほぼ等しくなるようにしてあると共に、上部巾木構成体２の鉛直部２０ｅの前面と下方に向いた段差面２ｂより下方の背面との間の寸法と、下部巾木構成体１の上方に向いた段差面１ｃより上方にある前面と背面との間の寸法とがほぼ等しくなるようにしてある。
【００５８】
この結果、この例にあっては、既設巾木ｈの前面ｈａに添装面部１ａ、２ａを添装させて備え付けられると共に、互いの一部を重なり合わせた上部巾木構成体２と下部巾木構成体１とは、上部巾木構成体２の前面と下部巾木構成体１における上方に向いた段差面１ｃより下方にある前面とをほぼ同一の平面上に位置づける。
【００５９】
既設フロアＦ上に新設の床材をはり込み新設フロアＮＦを形成させた後、新設フロア面ＮＦａに下部巾木構成体１の突き当て面部１ｂを突き当てさせ、かつ、この下部巾木構成体１の添装面部１ａを既設巾木ｈの前面ｈａに添装させて、先ず、下部巾木構成体１を備え付けさせる。この後、既設巾木ｈの上端面ｈｂに上部巾木構成体２の水平部２０ｆの下面を添装させ、かつ、この水平部２０ｆの後端面を壁面Ｐに突き当てさせると共に、上部巾木構成体２の添装面部２ａを既設巾木ｈの前面ｈａに添装させ、それと同時に、上部巾木構成体２の下方に向いた段差面２ｂより下方の背面を下部巾木構成体１の上方に向いた段差面１ｃより上方の前面に添装させて、上部巾木構成体２を備え付けさせる。これにより、この例にかかるリフォーム用巾木材Ｈ１によって、既設巾木ｈの上端面ｈｂと前面ｈａとを覆うことができると共に、既設巾木ｈと新設フロア面ＮＦａとの取り合い部分を覆い隠すことができる。
【００６０】
（実施例２）
図３および図４に示されるリフォーム用巾木材Ｈ２は、既設巾木ｈの上端面ｈｂへの添装体２０と既設巾木ｈの前面ｈａへの添装体２１とからなる上部巾木構成体２と、下部巾木構成体１の３パーツから構成されている。
【００６１】
既設巾木ｈの上端面ｈｂへの添装体２０、既設巾木ｈの前面ｈａへの添装体２１、および、下部巾木構成体１はいずれも、長尺の板状をなすように構成されている。
【００６２】
既設巾木ｈの上端面ｈｂへの添装体２０は、この例にあっては、
壁面Ｐに外面を添装される縦板部２０ａと、
この縦板部２０ａの下端部から前方に突き出すように形成されると共に、既設巾木ｈの上端面ｈｂに外面を添装させる（つまり、この外面を既設巾木ｈの上端面ｈｂへの添装面部２ａとする）下部横板部２０ｂと、
前記縦板部２０ａの上端部から前方に突き出すように形成されると共に、前記下部横板部２０ｂとの間に溝部２０ｄを形成させる上部横板部２０ｃとを有している。
【００６３】
この例にあっては、下部横板部２０ｂは、縦板部２０ａの外面を壁面Ｐに添装させた状態において、既設巾木ｈの上端面ｈｂの前縁からこの下部横板部２０ｂの前端を前方に突き出させない巾を持つように構成されている。
【００６４】
また、この例にあっては、上部横板部２０ｃは、前記下部横板部２０ｂよりも巾広に構成されている。
【００６５】
また、前記溝部２０ｄは、既設巾木ｈの前面ｈａへの添装体２１を構成する入れ込み部２１ｂの上下寸法とほぼ等しいか、やや広い溝巾を持つように構成されている。
【００６６】
一方、上部巾木構成体２を構成する既設巾木ｈの前面ｈａへの添装体２１は、既設巾木ｈの前面ｈａを覆う鉛直部２０ｉと、横向きに配される前記入れ込み部２１ｂとを有している。
【００６７】
入れ込み部２１ｂは、鉛直部２０ｉの上端部に、入れ込み部２１ｂの前端部を一体に接合させるようにして設けられている。この例にあっては、入れ込み部２１ｂの前端部の端面と鉛直部２０ｉの前面との間に間隔を開けるようにして、鉛直部２０ｉの上端部に入れ込み部２１ｂが連接されている。
【００６８】
鉛直部２０ｉの背面部には、下方に向いた段差面２ｂが形成されている。この段差面２ｂは、この例では、水平面として構成されている。そして、この下方に向いた段差面２ｂと前記入れ込み部２１ｂの形成位置との間が、上部巾木構成体２における既設巾木ｈの前面ｈａへの添装面部２ａとなるようにしてある。そしてまた、この段差面２ｂと鉛直部２０ｉの下端面２ｃとの間にある鉛直部２０ｉの背面が、下部巾木構成体１の上方に向いた段差面１ｃと下部巾木構成体１の上端面１ｄとの間にある下部巾木構成体１の前面に添装されるように構成されている。
【００６９】
また、鉛直部２０ｉの下端面２ｃは、この例では、水平面として構成されている。
【００７０】
この例にあっては、上部巾木構成体２を構成する既設巾木ｈの前面ｈａへの添装体２１の添装面部２ａの全体がシート状をなすクッション材３によって覆われるようにしてある。
【００７１】
下部巾木構成体１は、背面の全部を既設巾木ｈの前面ｈａに対する添装面部１ａとしている。
【００７２】
また、この下部巾木構成体１は、前面部に上方に向いた段差面１ｃを有しており、この上方に向いた段差面１ｃと上端面１ｄとの間にある前面に、上部巾木構成体２の下端面２ｃと下方に向いた段差面２ｂとの間にある背面が添装されるようにしてある。この例にあっては、この下部巾木構成体１の上方に向いた段差面１ｃおよび上端面１ｄは、いずれも水平面として構成されている。
【００７３】
また、下部巾木構成体１の下端面は、水平面として構成されており、この下端面が新設フロア面ＮＦａに突き当てられるようにしてある。
【００７４】
また、この例にあっては、下部巾木構成体１の添装面部１ａの全体がシート状をなすクッション材３によって覆われるようにしてある。
【００７５】
また、この例にあっては、上部巾木構成体２の鉛直部２０ｉの前面と下方に向いた段差面２ｂより上方の背面（つまり、添装面部２ａ）との間の寸法と、下部巾木構成体１の上方に向いた段差面１ｃより下方の前面と背面（つまり、添装面部１ａ）との間の寸法とがほぼ等しくなるようにしてあると共に、上部巾木構成体２の鉛直部２０ｉの前面と下方に向いた段差面２ｂより下方の背面との間の寸法と、下部巾木構成体１の上方に向いた段差面１ｃより上方にある前面と背面との間の寸法とがほぼ等しくなるようにしてある。
【００７６】
この結果、この例にあっては、既設巾木ｈの前面ｈａに添装面部１ａ、２ａを添装させて備え付けられると共に、互いの一部を重なり合わせた上部巾木構成体２と下部巾木構成体１とは、上部巾木構成体２の前面と下部巾木構成体１における上方に向いた段差面１ｃより下方にある前面とをほぼ同一の平面上に位置づける。
【００７７】
既設フロアＦ上に新設の床材をはり込み新設フロアＮＦを形成させた後、新設フロア面ＮＦａに下部巾木構成体１の突き当て面部１ｂを突き当てさせ、かつ、この下部巾木構成体１の添装面部１ａを既設巾木ｈの前面ｈａに添装させて、先ず、下部巾木構成体１を備え付けさせる。
【００７８】
次いで、既設巾木ｈの上端面ｈｂに上部巾木構成体２を構成する既設巾木ｈの上端面ｈｂへの添装体２０の下部横板部２０ｂの外面を添装させると共に、壁面Ｐにこの上端面ｈｂへの添装体の縦板部２０ａの外面を添装させる。
【００７９】
この後、上部巾木構成体２を構成する既設巾木ｈの前面ｈａへの添装体２１の鉛直部２０ｉの添装面部２ａを既設巾木ｈの前面ｈａに添装させると共に、この既設巾木ｈの前面ｈａへの添装体２１の入れ込み部２１ｂを既設巾木ｈの上端面ｈｂへの添装体２０の溝部２０ｄに入れ込み、それと同時に、上部巾木構成体２の下方に向いた段差面２ｂより下方の背面を下部巾木構成体１の上方に向いた段差面１ｃより上方の前面に添装させて、上部巾木構成体２を備え付けさせる。
【００８０】
この上部巾木構成体２を構成する既設巾木ｈの上端面ｈｂへの添装体２０の溝部２０ｄに対する既設巾木ｈの前面ｈａへの添装体２１の入れ込み部２１ｂの入れ込み寸法を調整することにより、既設巾木ｈの厚さに対応して既設巾木ｈの上端面ｈｂへの添装体２０の縦板部２０ａの外面と既設巾木ｈの前面ｈａへの添装体２１の背面との間の間隔を調整することができ、厚さを異ならせる種種の既設巾木ｈの上端面ｈｂ及び前面ｈａを単一のリフォーム用巾木材Ｈ２によって適切に覆うことができる。
【００８１】
また、これにより、この例にかかるリフォーム用巾木材Ｈ２によって、既設巾木ｈと新設フロア面ＮＦａとの取り合い部分を覆い隠すことができる。
【００８２】
既設巾木ｈの上端面ｈｂへの添装体２０は、その溝部２０ｄに既設巾木ｈの前面ｈａへの添装体２１の入れ込み部２１ｂを入れ込むに先立って、既設巾木ｈの上端面ｈｂないしは壁面Ｐに接着などして止め付けても、その溝部２０ｄに既設巾木ｈの前面ｈａへの添装体２１の入れ込み部２１ｂを入れ込んだ後に、この既設巾木ｈの前面ｈａへの添装体２１と一緒に釘打ちなどにより止め付けても良い。
【００８３】
また、既設巾木ｈの上端面ｈｂへの添装体２０の溝部２０ｄに既設巾木ｈの前面ｈａへの添装体２１の入れ込み部２１ｂを入れ込ませた後に、両添装体２０、２１を同時に既設巾木ｈ側にセッティングし、この後止め付けるようにしても良い。
【００８４】
（実施例３）
図５および図６に示されるリフォーム用巾木材Ｈ３は、上部巾木構成体２と下部巾木構成体１の２パーツから構成されている。
【００８５】
上部巾木構成体２および下部巾木構成体１の双方ともに、長尺の板状をなすように構成されている。
【００８６】
上部巾木構成体２は、既設巾木ｈの前面ｈａを覆う鉛直部２０ｅと、既設巾木ｈの上端面ｈｂを覆う水平部２０ｆとを有している。
【００８７】
鉛直部２０ｅの上端部と水平部２０ｆの前端部とは、鉛直部２０ｅの前面と水平部２０ｆの上面との間にエッジ状の外隅部２０ｇを形成させると共に、鉛直部２０ｅの背面と水平部２０ｆの下面との間にエッジ状の内隅部２０ｈを形成させるように、一体となっている。
【００８８】
水平部２０ｆの後端部は、鉛直面となっており、この鉛直面が壁面Ｐに添装されるようになっている。そして、この水平部２０ｆの下面におけるこの水平部２０ｆの後端部と前記内隅部２０ｈとの間が、上部巾木構成体２における既設巾木ｈの上端面ｈｂへの添装面部２ａとなるようにしてある。
【００８９】
鉛直部２０ｅの背面部は鉛直面となっており、この背面部における前記内隅部２０ｈと鉛直部２０ｅの下端面との間が既設巾木ｈの前面ｈａへの添装面部２ａとなっている。
【００９０】
また、鉛直部２０ｅの前面部には、下方に向いた段差面２ｂが形成されている。この段差面は、この例では、水平面として構成されている。
【００９１】
そして、この下方に向いた段差面２ｂと鉛直部２０ｅの下端面との間にある鉛直部２０ｅの前面が、下部巾木構成体１の上方に向いた段差面１ｃと下部巾木構成体１の上端面１ｄとの間にある下部巾木構成体１の背面に添装されるように構成されている。
【００９２】
また、鉛直部２０ｅの下端面は、この例では、水平面として構成されている。
【００９３】
この例にあっては、上部巾木構成体２の添装面部２ａの全体がシート状をなすクッション材３によって覆われるようにしてある。この結果、この例にあっては、前記水平部２０ｆのクッション材３によっても、リフォーム用巾木材Ｈ３における下部巾木構成体１の突き当て面部１ｂと上部巾木構成体２における既設巾木ｈの上端面ｈｂへの添装面部２ａとの間の間隔の若干の調整が可能となっている。
【００９４】
下部巾木構成体１の前面部は鉛直面となっている。
【００９５】
また、この下部巾木構成体１は、背面部に上方に向いた段差面１ｃを有しており、この上方に向いた段差面１ｃと上端面１ｄとの間にある背面が、上部巾木構成体２の下端面２ｃと下方に向いた段差面２ｂとの間にある前面に添装されるようにしてある。この例にあっては、この下部巾木構成体１の上方に向いた段差面１ｃおよび上端面１ｄは、いずれも水平面として構成されている。
【００９６】
また、この例にあっては、下部巾木構成体１の背面であって、この下部巾木構成体１の上方に向いた段差面１ｃと下端面との間にある背面が、既設巾木ｈの前面ｈａに対する添装面部１ａとなっている。
【００９７】
また、下部巾木構成体１の下端面は、水平面として構成されており、この下端面が新設フロア面ＮＦａに突き当てられるようにしてある。
【００９８】
また、この例にあっては、下部巾木構成体１の添装面部１ａの全体がシート状をなすクッション材３によって覆われるようにしてある。
【００９９】
また、この例にあっては、上部巾木構成体２の鉛直部２０ｅの背面（つまり、添装面部２ａ）と下方に向いた段差面２ｂより上方の前面との間の寸法と、下部巾木構成体１の上方に向いた段差面１ｃより下方の背面（つまり、添装面部１ａ）と前面との間の寸法とがほぼ等しくなるようにしてあると共に、上部巾木構成体２の鉛直部２０ｅの背面と下方に向いた段差面２ｂより下方の前面との間の寸法と、下部巾木構成体１の上方に向いた段差面１ｃより上方にある背面と前面との間の寸法とがほぼ等しくなるようにしてある。
【０１００】
この結果、この例にあっては、既設巾木ｈの前面ｈａに添装面部１ａ、２ａを添装させて備え付けられると共に、互いの一部を重なり合わせた上部巾木構成体２と下部巾木構成体１とは、上部巾木構成体２における下方に向いた段差面２ｂより上方にある前面と下部巾木構成体１の前面とをほぼ同一の平面上に位置づける。
【０１０１】
既設フロアＦ上に新設の床材をはり込み新設フロアＮＦを形成させた後、既設巾木ｈの上端面ｈｂに上部巾木構成体２の水平部２０ｆの下面を添装させ、かつ、この水平部２０ｆの後端面を壁面Ｐに突き当てさせると共に、上部巾木構成体２の添装面部２ａを既設巾木ｈの前面ｈａに添装させて、先ず、上部巾木構成体２を備え付けさせる。この後、新設フロア面ＮＦａに下部巾木構成体１の突き当て面部１ｂを突き当てさせ、かつ、この下部巾木構成体１の添装面部１ａを既設巾木ｈの前面ｈａに添装させると共に、下部巾木構成体１の上方に向いた段差面１ｃより上方の背面を上部巾木構成体２の下方に向いた段差面２ｂより下方の前面に添装させて、下部巾木構成体１を備え付けさせる。これにより、この例にかかるリフォーム用巾木材Ｈ３によって、既設巾木ｈの上端面ｈｂと前面ｈａとを覆うことができると共に、既設巾木ｈと新設フロア面ＮＦａとの取り合い部分を覆い隠すことができる。
【０１０２】
（実施例４）
図７および図８に示されるリフォーム用巾木材Ｈ４は、既設巾木ｈの上端面ｈｂへの添装体２０と既設巾木ｈの前面ｈａへの添装体２１とからなる上部巾木構成体２と、下部巾木構成体１の３パーツから構成されている。
【０１０３】
既設巾木ｈの上端面ｈｂへの添装体２０、既設巾木ｈの前面ｈａへの添装体２１、および、下部巾木構成体１はいずれも、長尺の板状をなすように構成されている。
【０１０４】
既設巾木ｈの上端面ｈｂへの添装体２０は、この例にあっては、
壁面Ｐに外面を添装される縦板部２０ａと、
この縦板部２０ａの下端部から前方に突き出すように形成されると共に、既設巾木ｈの上端面ｈｂに外面を添装させる（つまり、この外面を既設巾木ｈの上端面ｈｂへの添装面部２ａとする）下部横板部２０ｂと、
前記縦板部２０ａの上端部から前方に突き出すように形成されると共に、前記下部横板部２０ｂとの間に溝部２０ｄを形成させる上部横板部２０ｃとを有している。
【０１０５】
この例にあっては、下部横板部２０ｂは、縦板部２０ａの外面を壁面Ｐに添装させた状態において、既設巾木ｈの上端面ｈｂの前縁からこの下部横板部２０ｂの前端を前方に突き出させない巾を持つように構成されている。
【０１０６】
また、この例にあっては、上部横板部２０ｃは、前記下部横板部２０ｂよりも巾広に構成されている。
【０１０７】
また、前記溝部２０ｄは、既設巾木ｈの前面ｈａへの添装体２１を構成する入れ込み部２１ｂの上下寸法とほぼ等しいか、やや広い溝巾を持つように構成されている。
【０１０８】
一方、上部巾木構成体２を構成する既設巾木ｈの前面ｈａへの添装体２１は、既設巾木ｈの前面ｈａを覆う鉛直部２０ｉと、横向きに配される前記入れ込み部２１ｂとを有している。
【０１０９】
入れ込み部２１ｂは、鉛直部２０ｉの上端部に、入れ込み部２１ｂの前端部を一体に接合させるようにして設けられている。この例にあっては、入れ込み部２１ｂの前端部の端面と鉛直部２０ｉの前面との間に間隔を開けるようにして、鉛直部２０ｉの上端部に入れ込み部２１ｂが連接されている。
【０１１０】
鉛直部２０ｉの背面部は鉛直面となっており、この背面部における前記入れ込み部２１ｂの形成位置と鉛直部２０ｉの下端面２ｃとの間が既設巾木ｈの前面ｈａへの添装面部２ａとなっている。
【０１１１】
また、鉛直部２０ｉの前面部には、下方に向いた段差面２ｂが形成されている。この段差面２ｂは、この例では、水平面として構成されている。
【０１１２】
そして、この下方に向いた段差面２ｂと鉛直部２０ｉの下端面との間にある鉛直部２０ｉの前面が、下部巾木構成体１の上方に向いた段差面１ｃと下部巾木構成体１の上端面１ｄとの間にある下部巾木構成体１の背面に添装されるように構成されている。
【０１１３】
また、鉛直部２０ｉの下端面は、この例では、水平面として構成されている。
【０１１４】
この例にあっては、上部巾木構成体２を構成する既設巾木ｈの前面ｈａへの添装体２１におおける添装面部２ａの全体がシート状をなすクッション材３によって覆われるようにしてある。
【０１１５】
下部巾木構成体１の前面部は鉛直面となっている。
【０１１６】
また、この下部巾木構成体１は、背面部に上方に向いた段差面１ｃを有しており、この上方に向いた段差面１ｃと上端面との間にある背面が、上部巾木構成体２の下端面２ｃと下方に向いた段差面２ｂとの間にある前面に添装されるようにしてある。この例にあっては、この下部巾木構成体１の上方に向いた段差面１ｃおよび上端面１ｄは、いずれも水平面として構成されている。
【０１１７】
また、この例にあっては、下部巾木構成体１の背面であって、この下部巾木構成体１の上方に向いた段差面１ｃと下端面との間にある背面が、既設巾木ｈの前面ｈａに対する添装面部１ａとなっている。
【０１１８】
また、下部巾木構成体１の下端面は、水平面として構成されており、この下端面が新設フロア面ＮＦａに突き当てられるようにしてある。
【０１１９】
また、この例にあっては、下部巾木構成体１の添装面部１ａの全体がシート状をなすクッション材３によって覆われるようにしてある。
【０１２０】
また、この例にあっては、上部巾木構成体２の鉛直部２０ｉの背面（つまり、添装面部２ａ）と下方に向いた段差面２ｂより上方の前面との間の寸法と、下部巾木構成体１の上方に向いた段差面１ｃより下方の背面（つまり、添装面部１ａ）と前面との間の寸法とがほぼ等しくなるようにしてあると共に、上部巾木構成体２の鉛直部２０ｉの背面と下方に向いた段差面２ｂより下方の前面との間の寸法と、下部巾木構成体１の上方に向いた段差面１ｃより上方にある背面と前面との間の寸法とがほぼ等しくなるようにしてある。
【０１２１】
この結果、この例にあっては、既設巾木ｈの前面ｈａに添装面部１ａ、２ａを添装させて備え付けられると共に、互いの一部を重なり合わせた上部巾木構成体２と下部巾木構成体１とは、上部巾木構成体２における下方に向いた段差面２ｂより上方にある前面と下部巾木構成体１の前面とをほぼ同一の平面上に位置づける。
【０１２２】
既設フロアＦ上に新設の床材をはり込み新設フロアＮＦを形成させた後、先ず、既設巾木ｈの上端面ｈｂに上部巾木構成体２を構成する既設巾木ｈの上端面ｈｂへの添装体２０の下部横板部２０ｂの外面を添装させると共に、壁面Ｐにこの上端面ｈｂへの添装体２０の縦板部２０ａの外面を添装させる。
【０１２３】
次いで、上部巾木構成体２を構成する既設巾木ｈの前面ｈａへの添装体２１の鉛直部２０ｉの添装面部２ａを既設巾木ｈの前面ｈａに添装させると共に、この既設巾木ｈの前面ｈａへの添装体２１の入れ込み部２１ｂを既設巾木ｈの上端面ｈｂへの添装体２０の溝部２０ｄに入れ込み、上部巾木構成体２を備え付けさせる。
【０１２４】
この上部巾木構成体２を構成する既設巾木ｈの上端面ｈｂへの添装体２０の溝部２０ｄに対する既設巾木ｈの前面ｈａへの添装体２１の入れ込み部２１ｂの入れ込み寸法を調整することにより、既設巾木ｈの厚さに対応して既設巾木ｈの上端面ｈｂへの添装体２０の縦板部２０ａの外面と既設巾木ｈの前面ｈａへの添装体２１の背面との間の間隔を調整することができ、厚さを異ならせる種種の既設巾木ｈの上端面ｈｂ及び前面を単一のリフォーム用巾木材Ｈ４によって適切に覆うことができる。
【０１２５】
この後、新設フロア面ＮＦａに下部巾木構成体１の突き当て面部１ｂを突き当てさせ、かつ、この下部巾木構成体１の添装面部を既設巾木ｈの前面ｈａに添装させると共に、下部巾木構成体１の上方に向いた段差面１ｃより上方の背面を上部巾木構成体２の下方に向いた段差面２ｂより下方の前面に添装させて、下部巾木構成体１を備え付けさせる。これにより、この例にかかるリフォーム用巾木材Ｈ４によって、既設巾木ｈの上端面ｈｂと前面ｈａとを覆うことができると共に、既設巾木ｈと新設フロア面ＮＦａとの取り合い部分を覆い隠すことができる。
【０１２６】
既設巾木ｈの上端面ｈｂへの添装体２０は、その溝部２０ｄに既設巾木ｈの前面ｈａへの添装体２１の入れ込み部２１ｂを入れ込むに先立って、既設巾木ｈの上端面ｈｂないしは壁面Ｐに接着などして止め付けても、その溝部２０ｄに既設巾木ｈの前面ｈａへの添装体２１の入れ込み部２１ｂを入れ込んだ後に、この既設巾木ｈの前面ｈａへの添装体２１と一緒に釘打ちなどにより止め付けても良い。
【０１２７】
また、既設巾木ｈの上端面ｈｂへの添装体２０の溝部２０ｄに既設巾木ｈの前面ｈａへの添装体２１の入れ込み部２１ｂを入れ込ませた後に、両添装体２０、２１を同時に既設巾木ｈ側にセッティングし、この後止め付けるようにしても良い。
【０１２８】
【発明の効果】
この発明にかかるリフォーム用巾木材によれば、既設の床材の上に新設の床材をはり込んで行う方式のリフォームを行う場合において、既設巾木を取り外すことなく、容易かつ仕上がり良くこうしたリフォームを行うことができる。また、既設巾木の取り外しを要させないことから、こうしたリフォームを必要最小限度のものとして実施でき、その工期の短縮化と費用の低廉化に資するものである。
【図面の簡単な説明】
【図１】実施例１に係るリフォーム用巾木材Ｈ１の分離斜視図
【図２】実施例１に係るリフォーム用巾木材Ｈ１の備え付け状態を示す断面構成図
【図３】実施例２に係るリフォーム用巾木材Ｈ２の分離斜視図
【図４】実施例２に係るリフォーム用巾木材Ｈ２の備え付け状態を示す断面構成図
【図５】実施例３に係るリフォーム用巾木材Ｈ３の分離斜視図
【図６】実施例３に係るリフォーム用巾木材Ｈ３の備え付け状態を示す断面構成図
【図７】実施例４に係るリフォーム用巾木材Ｈ４の分離斜視図
【図８】実施例４に係るリフォーム用巾木材Ｈ４の備え付け状態を示す断面構成図
【符号の説明】
ｈ  既設巾木
ｈａ  前面
ｈｂ  上端面
Ｆ  既設フロア
ＮＦａ  新設フロア面
Ｈ  リフォーム用巾木材
１  下部巾木構成体
１ａ  添装面部
１ｂ  突き当て面部
１ｃ  段差面
２  上部巾木構成体
２ａ  添装面部
２ｂ  段差面
２ｃ  下端面
【図１】
0003942448.tif 000002
【図２】
0003942448.tif 000003
【図３】
0003942448.tif 000004
【図４】
0003942448.tif 000005
【図５】
0003942448.tif 000006
【図６】
0003942448.tif 000007
【図７】
0003942448.tif 000008
【図８】
0003942448.tif 000009